(57)【要約】【課題】雪の滑落等によって破損されることがなく、しかも、軒樋に雨水を確実に注ぎ入れることができる軒瓦の提供。【解決手段】軒先２０ａに備えられる瓦１０であって、この瓦１０が頭部１０ａの幅側に向けて当該瓦１０の瓦面を流れ落ちる雨水を受ける堰部１２を備えており、しかも、当該堰部１２に沿って複数個の雨水流下孔１３を備え、この瓦１０の下方に備えられている軒樋３０に当該雨水流下孔１３から雨水を注ぎ得るように構成してある。【選択図】図６
2007284872.tif 000002
【特許請求の範囲】
【請求項１】
軒先に備えられる瓦であって、この瓦が頭部の幅側に向けて瓦面を流れ落ちる雨水を受ける堰部を備えており、かつ、この堰部に沿って複数個の雨水流下孔を備えており、
この瓦の下方に備えられている軒樋に当該雨水流下孔から雨水を注ぎ得るようにしてあることを特徴とする軒瓦。
【請求項２】
前記雨水流下孔間にある瓦部が上下方向に幅の厚い補強瓦部としてあることを特徴とする請求項１に記載の軒瓦。
【請求項３】
前記堰部が瓦の前面に備えられている化粧部の一部よりなることを特徴とする請求項１または請求項２に記載の軒瓦。
【発明の詳細な説明】
【技術分野】
【０００１】
この発明は、瓦葺き屋根に備えられる軒樋を保護し得る軒瓦の提供、就中、降雪地における積雪から軒樋を保護し得るようにした軒瓦の提供に関する。
【背景技術】
【０００２】
降雪地にあっては、屋根上に降る雪によって、軒部分が破損されることが多く、特に、軒に備えられている軒樋が堆積された雪の重みや、雪の滑落等によって破損され易く、その対応が種々試みられている。
【０００３】
このような屋根における降雪対策として、屋根の端部等から外方にせり出した積雪層のせり出し部分を、レーザー光線を照射して早期に切断落下させることが試みられている（例えば、特許文献１）。
【０００４】
しかしながら、かかる降雪対策は、管理が難しく、かつ、多くの管理費用を生ずる不具合が予想される。
【０００５】
また、軒先屋根の一部にメッシュ材等を有する屋根部分を設け、この下に雨樋を設けることによって、軒樋を保護する試みがなされている（例えば、特許文献２）。
【０００６】
また、軒部分の屋根面を他の屋根面と異なる滑り抵抗の屋根材によって構成することで、軒先にある雪の堆積部分を少しずつ、分離させながら滑落させるようにして雨樋等を保護する試みがなされている（例えば、特許文献３）。
【０００７】
しかしながら、このようなメッシュ材等で屋根面を構成したり、堆積する雪を容易に滑落させる屋根面を構成するためには、概ね当該屋根面をプレート状の屋根材によって構成する必要があり、瓦屋根特有の趣のある屋根を設け難い不具合が予想される。
【０００８】
また、軒の出部分にある雪を滑落させると共に、屋根面にある雪の滑落を阻止するようにした屋根構造が提案されている（例えば、特許文献４）。
【０００９】
しかしながら、このように屋根面に雪を堆積させる手法にあっては、その後における雪処理に難渋することが予想される。
【００１０】
かかる点から、一般的な屋根構造としながら、樋自体を前後方向に移動し得るようにして軒樋を雪から保護する試みがなされている（特許文献５）。
【００１１】
しかしながら、このように軒先位置に備えられる軒樋を都合良く前後方向に移動可能に構成することは難しく。その設置コスト及び管理コストの面に難が予想される。
【００１２】
かかる点から軒瓦に孔を設け、この孔を備える瓦を軒に沿って葺き込み、この孔から雨水を軒樋に流下させることが試みられている（例えば、特許文献６、特許文献７）。
【００１３】
【特許文献１】特開平５−５２０６４号公報
【特許文献２】特開平５−１９５６０３号公報
【特許文献３】特開平１０−４６７６６号公報
【特許文献４】特開平９−２９１６６５号公報
【特許文献５】特開平８−１４４４５１号公報
【特許文献６】特開平９−６０２０２号公報
【特許文献７】実開昭６１−１５２６１７号公報
【発明の開示】
【発明が解決しようとする課題】
【００１４】
住宅等にあって、屋根は建物外観における意匠上、極めて重要な役割を担っており、この屋根における軒回りに屋根本体部分と異なる意匠の屋根面を構成することは、住宅の意匠的な統一性を欠くことが多く、前記特許文献２及び特許文献３に記載されている各屋根は、かかる建物全体としての外観の意匠性を損なう不具合が認められる。
【００１５】
また、同様に、特許文献４に記載の雪止め構造は、これが住宅等の屋根に据え付けられた際に、屋根面、就中、特に目立ち易い軒先部分を特異な形態の雪止め用軒先具が巡るような景観とされ、積雪時はともかく、雪の無い状態で著しく建物の外観の意匠性を損なう不具合があった。
【００１６】
また、特許文献１に示される雪の巻き垂れ防止方法は、屋根の軒先端部に複数の支柱を立設し、レーザー光線の投光部と受光部とを設けてあり、前記と同様に降雪時は別段として、雪の無い状態では、住宅の屋根部分の意匠性を著しく損ねる不具合があり、また、設置・管理等にも種々の難が認められる。
【００１７】
また、前記軒樋を必要に応じて移動する特許文献５に示されるような軒構造では、軒樋管理が高所作業となり、割高な設置コストと共に、メンテナンスに難があった。
【００１８】
かかる点から、住宅等の建物における屋根を瓦葺きとして、独特の趣のある屋根を構成しながら、樋破損等の雪害を極力抑止する瓦として提案されている特許文献６の軒構造は、軒瓦における谷部のほぼ中央に横長楕円状の一個の排水穴を備えた構成としてある。この結果、屋根面を流れ落ちる雨水を当該排水穴から下方に流下させるためには、この排水穴を相当程度の大きさを備えたものとして構成する必要があり、また、このように一個の穴によって屋根面を流下する雨水を円滑に下方に流下させる大きさに構成した場合、この穴によって瓦における軒からの出部分の強度が損なわれる不具合が予想される。
【００１９】
また、前記と同様に瓦で軒先における集水をなすようにした特許文献７に示される軒瓦では、瓦における若干反り返った平板部の中央に一個の集水孔が設けてあり、この一個の集水孔によって屋根面を流れ落ちる雨水を円滑に下方に流下させる必要があり、この集水孔が小さい場合には、雨水を円滑に下方に向けて流下させることができず、また、この集水孔を屋根面を流れ落ちる雨水を円滑に下方に流下させ得る大きさの孔を設けた場合、この軒瓦における出部分における強度が損なわれる不具合が予想される。
【００２０】
この発明は、かかる点に鑑み、頭部に堰部を設け、この堰部から瓦尻に向けて複数の雨水流下孔を設け、屋根面を流れ落ちる雨水を都合よく軒樋に流下させ得ると共に軒瓦における屋根下地からの出部分における強度の損なわれない瓦の提供をなそうとするものである。
【課題を解決するための手段】
【００２１】
この発明は、前記課題を解決するために、軒先に備えられる瓦であって、この瓦が頭部の幅側に向けて瓦面を流れ落ちる雨水を受ける堰部を備えており、かつ、この堰部に沿って複数個の雨水流下孔を備えており、
この瓦の下方に備えられている軒樋に当該雨水流下孔から雨水を注ぎ得るようにしてあることを特徴とする軒瓦としてある。
【００２２】
このように構成される軒瓦にあっては、軒に備えられる軒樋を軒瓦の屋根下地からの出部分の下方に都合良く設けることができる。また、屋根面に受けられた雨水は、この軒瓦における複数の幅側に備えられている雨水流下孔によって、無理なく、かつ、円滑に当該軒瓦の下方に備えられている軒樋に注ぎ込むことができる。
【００２３】
かかる構成からなる軒瓦にあっては、降雪時における雪の落下や雪降ろし作業に伴う雪の投げ降ろし等に際して軒樋を破損する不具合が無く、また、雪の無い状態では、通例の瓦屋根と同様の屋根意匠の状態で雨水を軒樋に都合良く注ぎ入れることができる。
【００２４】
また、このように軒瓦に備えられる複数の雨水流下孔は、当該瓦の幅側に備えられており、屋根面に受けられた雨水を当該複数の雨水流下孔から軒樋に注ぎ入れることができると共に、各雨水流下孔はそれぞれに独立しいることから軒瓦としての強度を損なうことがない。
【００２５】
ついで、前記構成に係る軒瓦において、前記雨水流下孔間にある瓦部が上下方向に幅の厚い補強瓦部としてあることを特徴とする軒瓦にあっては、屋根面を流れ落ちる雨水を都合良く軒樋に受け渡し得る軒瓦における強度を更に効果的に高めることができる。
【００２６】
さらに、前記構成に係る軒瓦において、前記堰部が瓦の前面に備えられている化粧部の一部よりなることを特徴とする軒瓦にあっては、屋根面を流れ落ちる雨水を軒樋に都合良く受け渡し得る軒瓦における外観を通例の軒瓦と同様の意匠を備えたものとして構成することができる。
【発明の効果】
【００２７】
この発明に係る軒瓦は、降雪に際して、屋根面に積もった雪を軒先を経て確実に軒下に落下させることができ、この雪の落下や雪降ろし作業等に際して軒樋を毀損することが無く、しかも、通例の瓦屋根の趣を損なうこと無く、屋根面に降った雨水を効果的に捕捉して軒樋に注ぎ入れ得る利点を備えている。
【発明を実施するための最良の形態】
【００２８】
以下、図１〜図６にもとづいて、この発明を実施するための最良の形態に係る軒瓦１０について説明する。
【００２９】
なお、ここで図１は当該発明を実施するための最良の形態に係る典型的な軒瓦１０を上方から見て、図２は、この軒瓦１０を前方から見て、図３では、この軒瓦１０を連続して用いる態様を前方から見て、更に、図４では、これを幅方向で縦向きに断面した状態の端面を、図５では、この軒瓦１０を軒先２０ａに葺き込んでいる状態を理解し易いように斜め上方から見て、図６は、この軒瓦１０を建物の軒先２０ａ部分に備え付けた一例を建物の要部を断面して側方から見て示している。
【００３０】
この発明を実施するための最良の形態にかかる典型的な軒瓦１０は、軒先２０ａに備えられる瓦１０であって、この瓦１０が頭部１０ａの幅側に向けて当該瓦１０の瓦面を流れ落ちる雨水を受ける堰部１２を備えており、しかも、当該堰部１２に沿って複数個の雨水流下孔１３を備え、この瓦１０の下方に備えられている軒樋３０に当該雨水流下孔１３から雨水を注ぎ得るように構成してある。
【００３１】
かかる軒瓦１０は、いかなる形態からなる軒瓦であってもよく、例えば、万十軒瓦、一文字軒瓦、鎌軒瓦、唐草軒瓦等、種々の形態の軒瓦であってよい。
【００３２】
また、この軒瓦１０の備えられる建物の軒構造、軒裏構造、軒天井構造等は、いかなる形態のものであっても良い。
【００３３】
また、この建物の軒２０の軒先２０ａに備えられる軒樋３０は、いかなる素材によって構成してあっても、また、いかなる形態に構成してあってもよく、例えば、断面形状が半円形の丸形樋や、断面が角形をなす箱形樋など、いかなる形態の樋であってもよい。
【００３４】
また、軒瓦１０に備えられる堰部１２は、瓦面を流れ落ちる雨水を受ける態様に瓦１０の頭部１０ａにおける幅側に向けて設けてあれば、いかなる形態に設けてあってもよい。
【００３５】
また、この堰部１２から尻側１０ｂ方向に設けられる雨水流下孔１３は、当該堰部１２に沿って複数個設けられて、屋根面を流れ落ちる雨水が前記堰部１２から軒２０の前方に注ぎ落ちないように堰部１２で前方を遮られた状態で、軒樋３０に向けて無理なく、円滑に注ぎ込み得る形状としてあり、この屋根面を流れ落ちる雨水を溢れさせることなく軒樋３０に注ぎ込み得る開口面積を備えた構成としてあれば、いかなる形態に構成してあってもよい。
【００３６】
このように構成される軒瓦１０にあっては、軒２０に備えられる軒樋３０を軒瓦１０の屋根下地からの出部分の下方に都合良く設けることができる。また、屋根面に受けられた雨水は、この軒瓦１０における複数の幅側に備えられている雨水流下孔１３によって、無理なく、かつ、円滑に当該軒瓦１０の下方に備えられている軒樋３０に注ぎ込むことができる。
【００３７】
かかる構成からなる軒瓦１０にあっては、降雪時における雪の落下や雪降ろし作業に伴う雪の投げ降ろし等に際して軒樋３０を破損する不具合が無く、また、雪の無い状態では、通例の瓦屋根と同様の屋根意匠の状態で雨水を軒樋３０に都合良く注ぎ入れることができる。
【００３８】
また、このように軒瓦１０に備えられる複数の雨水流下孔１３は、当該瓦１０の幅側に備えられており、屋根面に受けられた雨水を当該複数の雨水流下孔１３から軒樋３０に注ぎ入れることができると共に、各雨水流下孔１３はそれぞれに独立しいることから軒瓦１０としての強度を損なうことがない。
【００３９】
また、このように軒瓦１０に備えられる堰部１２は、屋根面を流れ落ちる雨水を受けて当該雨水の流れの向きを軒先２０ａ側に返すように機能し、雨水を軒瓦１０の下方に備えられる軒樋３０に向けて都合良く注ぎ入れることができ、軒樋３０を軒瓦１０の下方に都合よく設けることができる。
【００４０】
また、軒瓦１０の雨水流下孔１３、１３間にある瓦部１０ｈを、上下方向に幅の厚い補強瓦部１４としてある軒瓦１０にあっては、軒瓦１０における雨水流下孔１３部分における強度が効果的に高められて、屋根面を流れ落ちる雨水を都合良く軒樋３０に受け渡し得る軒瓦１０とされる。
【００４１】
また、軒瓦１０に備えられる堰部１２を、瓦１０の前面に備えられる化粧部１１の一部により構成するようにしてある軒瓦１０では、屋根面を流れ落ちる雨水を軒樋３０に都合良く受け渡し得る堰部１２を備える軒瓦１０の外観を通例の軒瓦と同様の意匠を備えたものとして構成することができる。
【００４２】
なお、前記構成に係る軒瓦１０は、前記堰部１２が、屋根面を流れ落ちる雨水を雨水流下孔１３に流下させ得る立ち上がり幅を備える構成としてあり、屋根面を流れ落ちる雨水が軒先２０ａから跳ね出すことなく軒樋３０に都合良く案内され、軒下に雨水の飛沫等が落下する不具合を生じないようにしてある。
【００４３】
ついで、図示例に係る典型的な軒瓦１０を詳細に説明する。この図示例に係る軒瓦１０は、所謂、軒２０の軒先２０ａに備えられる軒瓦１０であり、この瓦１０が頭部１０ａにおける幅側に向けて当該瓦１０の瓦面を流れ落ちる雨水を受ける堰部１２を備えており、しかも、当該堰部１２から尻側１０ｂに向けて開口さている雨水流下孔１３を幅側に複数個設けてあり、この瓦１０の下方に備えられている軒樋３０に当該雨水流下孔１３から雨水を注ぎ得るように構成してある。
【００４４】
かかる軒瓦１０は、平面視でほぼ矩形をなして幅方向（図１における左右方向）に、谷部１０ｃと、この谷部１０ｃの一方側に連続して斜上した後下方に向けて湾曲するように備えられて、側方に設置される瓦１０の差込部１０ｄを受け入れる桟部１０ｅと、当該谷部１０ｃの他方側に連続して斜上するように備えられて、側方に設置される瓦１０の桟部１０ｅに受け入れられる差込部１０ｄとを備える板状をなす瓦本体部１０’と、この瓦本体部１０’の頭部１０ａ位置の幅側（図１における左右方向）に備えられる堰部１２と、この瓦本体部１０’の幅側にあって、瓦本体部１０’と堰部１２とを連続させる瓦部１０ｈを介して当該堰部１２に沿って備えられる複数個の雨水流下孔１３とを備える構成としてある。
【００４５】
かかる軒瓦１０は、通例の軒瓦におけると同様の機能を奏し得るに必要とされる構成を備えており、通例の軒瓦におけると同様の手法で屋根面に葺き込み用いられる。
【００４６】
かかる軒瓦１０における瓦本体部１０’は、幅方向（図１において左右方向）に対して長さ方向（図１における上下方向）にやや長く構成された矩形をなす形状としてあり、尻側１０ｂ（図１における上縁側）に当該瓦１０の緊結孔１０ｇを備え、かつ、桟尻に肩切り込み部１０ｆを設けてある。
【００４７】
また、瓦本体部１０’の頭部１０ａ（図１における下端縁）が化粧部１１としてあって、この化粧部１１の一部が堰部１２として構成してある。
【００４８】
この図示例では、軒瓦１０の典型例として桟部１０ｅの側に瓦本体部１０’の頭部１０ａから前方（図１における下方）に化粧部としての万十部１１ｂを突き出すように設けた所謂、万十軒瓦を示しており、頭部１０ａに沿って万十部１１ｂと、これに続く板状化粧部１１ａとによって瓦本体部１０’の頭部１０ａ側を覆い隠す化粧部１１を構成してある。そして、この板状化粧部１１ａは、更に具体的には、瓦本体部１０’の頭部１０ａ側の先端の上下方向に一連に備えられる板状化粧部１１ａとしてあり、当該瓦本体部１０’より垂下状態とされている垂下化粧部１１ａ”（通例、剣と称されている。）と、当該瓦本体部１０’より起立状態とされている起立化粧部１１ａ’とを備え、当該瓦１０における差込部１０ｄ部分における当該起立化粧部１１ａ’がカットされて化粧部１１の切り込み部１１ｃとしてある。
【００４９】
かかる化粧部１１における起立化粧部１１ａ’は、屋根面を流下される雨水を受け止める堰部１２としてあり、この堰部１２は、屋根面を流れ落ちる雨水を受け止めて、軒先側に向けて当該雨水の飛沫が飛び出さない高さとなるように構成してある。かかる堰部１２は、この化粧部１１の起立化粧部１１ａ’で構成される上側堰部１２ａと、前記垂下化粧部１１ａ”で雨水流下孔１３の前方に構成されて下側堰部１２ｂとで構成してあって、この上側堰部１２ａと、雨水流下孔１３から流れ落ちる雨水を当該雨水流下孔１３の前方で受ける下側堰部１２ｂとで、屋根面を流れ落ちる雨水を軒樋３０に向けて都合良く注ぎ得る構成としてある。また、瓦１０における差込部１０ｄが隣に設置される瓦の桟部の下に都合良く納め入れ得るように当該差込部１０ｄには起立化粧部１１ａ’を設けてない。かかる瓦１０に備えられる堰部１２は、典型的には、当該瓦１０における谷部１０ｃを中心に桟部１０ｅ側に延び、かつ、差込部１０ｄの直前までの頭部１０ａ側を堰き止める形態に設けてあり、瓦の葺き込みに差し障りが無く、しかも、屋根面を流れ落ちる雨水を効果的に雨水流下孔１３に落とし込みうる形態に設けてある。この図示例では、万十部１１ｂ、板状化粧部１１ａ等の化粧部１１と、当該化粧部１１によって構成される堰部１２が瓦本体部１０’の先端に当該瓦本体部１０’にほぼ直交する向きに設けてあり、堰部１２に流れ当たった雨水は、この堰部１２の面で、その流れの向きを軒側に変えられて当該瓦１０の下方に設置されている軒樋３０に向けて都合良く注ぎ込まれるようにしてある。
【００５０】
かかる軒瓦１０における頭部１０ａの堰部１２に沿って瓦部１０ｈを介して複数個の雨水流下孔１３を備える構成としてある。この図示例にあっては、より多くの雨水を円滑に流れ落とすために、堰部１２から尻側１０ｂに向けて長方形状をなすように雨水流下孔１３を設けてあり、しかも、この雨水流下孔１３を瓦本体部１０’の幅側に、当該瓦本体部１０’と板状化粧部１１ａよりなる堰部１２とを連続させる瓦部１０ｈを介して複数個設けるようにして、屋根面を流れ落ちる雨水を当該軒瓦１０の堰部１２において溢れ出させることなく、確実に雨水流下孔１３から軒樋３０に注ぎ込み得るに必要な開口面積を当該雨水流下孔１３で構成し得るようにしてある。
【００５１】
この雨水流下孔１３は、屋根面を流れ落ちる雨水が前記堰部１２から前方に溢れ出すこと無く、瓦１０の下方にある軒樋３０に案内し得る形状と孔面積とを備えたものとして構成する。また、この雨水流下孔１３間にある瓦部１０ｈは、瓦本体部１０’の側から堰部１２に向けて、この図示例では、上側堰部１２ａの上端に向けて瓦部１０ｈが、その上下方向の厚さ寸法を漸次厚くなるように構成した補強瓦部１４としてあり、この補強瓦部１４が瓦本体部１０’の瓦部１０ｈに連続して瓦本体部１０’と上側堰部１２ａの頂端との間に側面三角形状をなす補強リブ状に構成され、雨水流下孔１３の開口に伴う瓦強度の不足を補う構成としてある。かかる補強瓦部１４は、更に、堰部１２の上下、即ち、上側堰部１２ａの上端及び下側堰部１２ｂの下端とに到るように瓦本体部１０’側から瓦部１０ｈの上下方向の厚さを漸次厚くするように構成してあっても良い。
【００５２】
かかる構成からなる軒瓦１０は、屋根面を流れ落ちる雨水を効果的に、かつ、無理なく軒樋３０に受け渡すために当該瓦１０に流れ落ちる雨水を余裕を持って処理し得る孔面積を有する雨水流下孔１３を備える構成とすることから、通例の軒瓦に比較して軒からの出寸法を大きく構成してある。また、かかる軒瓦１０における軒先２０ａからの出寸法を長めに設定することに見合って屋根面に受けられる瓦部分の葺き足及び差込部を長めに設定してあり、軒瓦１０がバランス良く屋根面に安定に葺き込まれるように構成してある。
【００５３】
かかる軒瓦１０は、例えば、図５及び図６に示されるように住宅等の建物の屋根における軒２０の軒先２０ａに備えられて瓦屋根の構成に用いられる。図示例では、軒桁から突き出し状態に備えられている垂木２１の上に野地板２３を張り込み、この野地板２３の上をアスファルトフェルト２５で覆うと共に、垂木２１の先端に組み付けた鼻隠し２２の上と野地板２３間に広小舞２４を備え付けて葺き下地を構成し、この広小舞２４の上に瓦座２８を設け、この瓦座２８に前記軒瓦１０を載せ掛けるように葺き込むための各瓦桟２９を垂木２１に直交する向きに、前記野地板２３上に備え付ける。なお、鼻隠し２２は鼻隠し下地板２２ａを介して垂木２１、天井野縁２６の前面を覆うように設けてあり、この天井野縁２６に軒天井板２７を止着して軒天井を構成するようにしてある。
【００５４】
かかる備え付け瓦座２８に軒瓦１０を軒先２０ａから軒瓦１０の出部分に雨水流下孔１３が位置するように、当該軒瓦１０の裏面に突設してある爪等を前記瓦桟２７に引っ掛けるようになし、しかも、この軒瓦１０における幅側の一方側にある差込部１０ｄ上に次に葺かれる軒瓦１０の桟部１０ｅを載せ掛けるようにして当該瓦座２８に沿って万十部１１ｂと剣をなす板状化粧部１１ａとが順次に連続されるように軒瓦１０を屋根下地材に適宜の手段で連結しながら葺き込みをなす。
【００５５】
このように軒先２０ａから前方に突き出されている瓦１０の出部分に雨水流下孔１３が位置するように軒２０に一連に備えられる軒瓦１０の尻側１０ｂにある差込部上に、上側に葺き込まれる瓦の頭側を載せ掛け、かつ、裏面にある爪等を瓦桟２９に引っ掛けるようにして、２段目の、例えば、桟瓦を葺き込み、この葺き込まれた桟瓦における幅側の一方側の差込部上に桟部を載せ掛け、かつ、爪等を瓦桟２９に引っ掛け、かつ、軒瓦１０の尻側１０ｂの差込部に頭側を載せ掛けるようにして次の桟瓦を葺き込み、順次に２段目の瓦の葺き込みをなす。更に、同様に、３段目、４段目と、順次に屋根面を覆うように、例えば、定法による桟瓦の葺き込みをなし、瓦屋根を構成する。
【００５６】
この図示例にあっては、鼻隠し２２の下端側から外壁に向けて垂木等の軒裏を隠す軒天井板２７が張り込まれており、この鼻隠し２２が垂木２１の備え付けの向きに直交するように設けてある。そして、この鼻隠し２２に対して、軒樋３０を、樋受け金物３１によって当該鼻隠し２２に近接するように取り付けてあり、この軒樋３０が軒瓦１０の下方にあって、その上方を軒瓦１０によって覆われ、かつ、当該軒瓦１０の出部分にある雨水流下孔１３からの雨水を受け得る位置に備え付けられている。
【００５７】
このように構成される瓦屋根の軒にあっては、軒樋３０が軒瓦１０で覆われた構成とされ、降雪時における雪の滑落や雪おろし作業等において軒樋３０を損なうことがなく、しかも、雪の無い状態では、通例の瓦屋根と同様の瓦屋根の意匠を備えた屋根を構成することができる。
【００５８】
この結果、降雪対応の軒樋の設置が不要とされ、また、軒樋を意識した雪下ろし作業等をする必要がなく、屋根の保全を通例の瓦屋根と同様になすことができる。
【図面の簡単な説明】
【００５９】
【図１】典型的な軒瓦の平面図
【図２】同正面図
【図３】同葺き込み状態を示す正面図
【図４】同断面図
【図５】同葺き込み使用状態を示す斜視図
【図６】同葺き込み使用状態を示す要部断面図
【符号の説明】
【００６０】
１０  軒瓦
１０ａ  頭部  
１２  堰部
１３  雨水流下孔
２０ａ  軒先
３０  軒樋
【図１】
2007284872.tif 000003
【図２】
2007284872.tif 000004
【図３】
2007284872.tif 000005
【図４】
2007284872.tif 000006
【図５】
2007284872.tif 000007
【図６】
2007284872.tif 000008